(57)【要約】【課題】髪の乾燥およびセットに適したヘアブラシを提供する。【解決手段】複数のブラシ毛７を有するブラシ部３を備えたヘアブラシ１であって、前記ブラシ３部には、該ブラシ部３の長手方向に沿って、風を通さない板状の板状部１０が設けられており、該板状部１０が、その高さが前記ブラシ毛７の長さよりも短いことを特徴とする。板状部１０の高さがブラシ毛７の長さよりも短いので、ブラシ毛７によって髪を整えることができる。そして、ドライヤーなどを用いて髪に風を供給すれば、板状部の先端部で髪を押さえながら、乾燥とセットを同時に行うことができる。【選択図】図１
2017189477.tif 000002
【特許請求の範囲】
【請求項１】
複数のブラシ毛を有するブラシ部を備えたヘアブラシであって、
前記ブラシ部には、
該ブラシ部の長手方向に沿って、風を通さない板状の板状部が設けられており、
該板状部は、
その高さが前記ブラシ毛の長さよりも短い
ことを特徴とするヘアブラシ。
【請求項２】
前記板状部は、
上端が該板状部周辺の前記ブラシ毛の先端から該ブラシ毛の長さの３分の１程度低くなるように形成されている
ことを特徴とするヘアブラシ。
【請求項３】
前記板状部が、前記ブラシ部の幅方向の略中央に設けられている
ことを特徴とするヘアブラシ。
【発明の詳細な説明】
【技術分野】
【０００１】
本発明は、ヘアブラシに関する。さらに詳しくは、ドライヤーなどで髪に風をあてながら髪を乾かしたりするときに使用されるヘアブラシに関する。
【背景技術】
【０００２】
風呂上がりや、シャワーの後、ねぐせ直しウォーターなどに濡れた髪をそのままの状態にしておくと、髪のキューティクルが剥がれたり、髪がきれたり、するなどの様々なダメージを髪に与えてしまう。そこで、一般的には、濡れた髪にドライヤーの温風をあてながら、ヘアブラシを用いて髪を梳かして髪をセットしながら、髪を乾燥させている。
【０００３】
従来、ドライヤーの温風で髪を乾燥させる際に使用するヘアブラシが提案されている（例えば、特許文献１、２）。
【０００４】
特許文献１には、ヘアブラシの植設刷子部に金属製の櫛を設けたヘアブラシが開示されている。そして、金属製の櫛がドライヤーからの熱風によって加熱されて高温となるので、金属製の櫛によって髪を梳かせば、髪を短時間でセットすることができる旨が記載さている。
【０００５】
しかし、特許文献１のヘアブラシでは、金属製の櫛が高温になるまでドライヤーで加熱しなければならないし、高温になった櫛が髪に直接接触するので、熱により髪が傷むという問題がある。
【０００６】
一方、特許文献２には、ヘアブラシの植設刷子部に、刷子（ブラシ毛）と併設して、ドライヤーの熱を受け止める温風受け熱伝導体を備えたヘアブラシが開示されている。そして、この熱伝導体がドライヤーの温風を受け止める壁の役割を果たすので、整髪に要する時間を短くすることができる旨が記載されている。しかも、高温になる部分を有しないので髪が傷むのを抑制できる。
【先行技術文献】
【特許文献】
【０００７】
【特許文献１】実開昭５１−９９６６号公報
【特許文献２】実開昭５２−１３７９７７号公報
【発明の概要】
【発明が解決しようとする課題】
【０００８】
しかるに、特許文献２のヘアブラシでは、熱伝導体が刷子（ブラシ毛）と併設して設けられており、その高さが刷子（ブラシ毛）よりも長くなるように形成されている。このため、髪を梳かす際に熱伝導体が邪魔になってしまう。つまり、特許文献２のヘアブラシを用いて濡れた髪を乾燥させながら、髪を梳かすという作業を同時に行うのは困難である。
現状では、濡れた髪をセットする場合、まず濡れた髪を乾燥させた後、髪をセットしなければならず、かかる作業を同時に行うことができるヘアブラシは存在しておらず、その開発が望まれている。
【０００９】
本発明は上記事情に鑑み、髪の乾燥およびセットを同時に行うことが可能なヘアブラシを提供することを目的とする。
【課題を解決するための手段】
【００１０】
第１発明のヘアブラシは、複数のブラシ毛を有するブラシ部を備えたヘアブラシであって、前記ブラシ部には、該ブラシ部の長手方向に沿って、風を通さない板状の板状部が設けられており、該板状部は、その高さが前記ブラシ毛の長さよりも短いことを特徴とする。
第２発明のヘアブラシは、前前記板状部は、上端が該板状部周辺の前記ブラシ毛の先端から該ブラシ毛の長さの３分の１程度低くなるように形成されていることを特徴とする。
第３発明のヘアブラシは、前記板状部が、前記ブラシ部の幅方向の略中央に設けられていることを特徴とする。
【発明の効果】
【００１１】
第１発明によれば、板状部の高さがブラシ毛の長さよりも短いので、ブラシ毛によって髪を整えることができる。そして、ドライヤーなどを用いて風を供給すれば、板状部で反射させた風を髪に効果的に供給することができる。このため、濡れた状態の髪をブラッシングすれば、板状部の先端部で髪を押さえながら、乾燥とセットを同時に行うことができる。しかも、髪が濡れた状態でセットできるので、セットがしやすくなる。
第２発明によれば、ブラシで髪を梳かす際、板状部材の上端縁とブラシ毛の先端との間に所定の隙間を形成することができる。このため、ブラシの通りをよりスムースに行うことができる。しかも、髪の性質上、濡れている髪は柔らかく、難なくどのような形にでもセットできるので、板状部材の上端縁で髪を押さえるようにして髪を梳かすようにすれば、髪を梳かすだけで、髪を簡単にまとめることができる。このため、髪のセットをより簡単に行うことができる。
第３発明によれば、ブラシの両側のいずれの側から風を供給しても、供給された風を板状部で確実に反射させることができる。このため、ブラシを使用する際の自由度を向上させることができる。
【図面の簡単な説明】
【００１２】
【図１】本実施形態のヘアブラシ１の概略説明図である。
【図２】本実施形態のヘアブラシ１の概略断面図であり、（Ａ）は図１のヘアブラシ１のＩＩＡ−ＩＩＡ線矢視概略断面図であり、（Ｂ）図１のヘアブラシ１のＩＩＢ−ＩＩＢ線矢視概略断面図である。
【図３】本実施形態のヘアブラシ１の使用状況を説明した概略説明図である。
【図４】本実施形態のヘアブラシ１の使用状況を説明した図であり、（Ａ）は使用前の髪ＨＲの状態を示した概略説明図であり、（Ｂ）は使用後の髪ＨＲの状態を示した概略説明図である。
【発明を実施するための形態】
【００１３】
つぎに、本発明の実施形態を図面に基づき説明する。
本発明のヘアブラシは、複数のブラシ毛が設けられたブラシ部を有するブラシであって、濡れたままの状態の髪をセットできるようにしたことに特徴を有している。
【００１４】
なお、本発明のヘアブラシの用途としては、人の髪を乾燥したり、人の髪を整髪したりすることなどに使用される。
【００１５】
また、本発明のヘアブラシを用いる際、髪に対して風を供給するための手段は、とくに限定されない。例えば、一般的なヘアドライヤーや扇風機などを挙げることができる。以下では、供給する風の温度を調整可能なヘアドライヤーを用いた場合を代表として説明する。
【００１６】
図１または図２に示すように、本実施形態のヘアブラシ１は、把持部２と、この把持部２に連結したブラシ部３と、を備えている。そして、本実施形態のヘアブラシ１は、このブラシ部３に板状部１０を備えている点に特徴を有している。
【００１７】
（把持部２について）
まず、本実施形態のヘアブラシ１の把持部２は、使用する際に人が手で握る部分である。この把持部２は、軸状に形成されており、人が手で持った際に掴みやすい形状や大きさに形成されている。なお、把持部２の形状や大きさは、とくに限定されない。使用する人の手の大きさ等に応じてその形状や大きさは適宜調整すればよい。
【００１８】
例えば、人が手に持った際に把持部２のほぼ全体が人の手の中に納まる大きさに形成すれば、しっかりと把持することができるので、長時間握ったままでも疲れにくくなる。また、その断面形状を角が少ない略楕円形状となるように形成すれば、握っていても手が痛くなりにくくなる。
【００１９】
（ブラシ部３について）
図１および図２に示すように、把持部２の先端には、ブラシ部３が連結するように設けられている。このブラシ部３は、本体部４と、この本体部４に設けられたブラシ毛７と、板状部１０と、を備えている。
【００２０】
（本体部４）
ブラシ部３の本体部４は、その基端部が把持部２の先端部に連結された部材である。この本体部４の上面４ｓ（以下、ブラシ面４ｓという）には、ブラシ毛７と板状部１０が設けられている。
本体部４は、その形状や大きさは、用途に応じて適宜選択すればよい。例えば、図１に示すように、本体部４は、平面視略長方形や平面視略楕円形となるように形成することができる。平面視略長方形に形成した本体部４の一の短辺側の基端部に把持部２の先端部を連結すれば、図１に示すようなヘアブラシ１を形成することができる。
【００２１】
（ブラシ毛７）
ブラシ部３のブラシ毛７は、基端が本体部のブラシ面４ｓに連結された状態でブラシ面４ｓに立設されている。
このブラシ毛７は、その素材や配列方法などはとくに限定されず、用途に応じて適宜選択すればよい。例えば、複数のブラシ毛７を櫛状に配列したものを、本体部４の幅方向に沿って複数列設けてもよい（図１参照）。
【００２２】
（板状部１０）
図１および図２に示すように、ブラシ部３の略幅方向中央には、ブラシ部３の板状部１０が設けられている。この板状部１０は、側面間を風が通過しないように形成された板状の部材である。板状部１０は、本体部４の上面４ｓに配設した状態において、周囲のブラシ毛７の中に埋まるように本体部４の上面４ｓに配設されている。具体的には、板状部１０は、ブラシ部３の長手方向に沿って設けられており、下端から上端までの距離（図２（Ａ）ではＬ１）（つまり板状部１０の高さ）が周囲のブラシ毛７の基端から先端までの距離（図２（Ａ）ではＬ２）（つまりブラシ毛７の長さ）よりも短くなるように形成されている。
【００２３】
以上のように、板状部１０の上端部がブラシ毛７の先端よりも低くなるように配設されているので、本実施形態のヘアブラシ１を用いて髪を梳かせば板状部１０が、ブラシ毛７の髪を梳かすという機能を妨げることなく、ブラシ毛７によって櫛目の通った髪にセットすることができる（図３参照）。
【００２４】
そして、図３に示すように、ドライヤーの風Ｗ１を本実施形態のヘアブラシ１に向かって供給すれば、ブラシ部３のブラシ面４ｓに設けられた板状部１０によって、供給された風Ｗ１の一部板状部１０の一の側面（図３では板状部１０の側面１０ｓ）で反射させることができる（図３の要部拡大図では破線Ｗ２）。
【００２５】
しかも、本実施形態のヘアブラシ１を使用すれば、ブラシ部３の板状部１０によって髪ＨＲを頭皮方向に向かって押しながらブラッシングすることができる（図３では、ブラッシング方向を一点鎖線で示している）。このとき、図３に示すように、板状部１０の先端部によって押さえられた髪ＨＲに対して板状部１０の側面１０ｓで反射させた風Ｗ２を供給することができる。
【００２６】
したがって、本実施形態のヘアブラシ１を用いて、濡れた状態の髪ＨＲをブラッシングすれば、濡れて柔らかくなった状態の髪ＨＲに対して風Ｗを供給しつつ、ヘアブラシ１のブラシ部３の板状部１０によって髪ＨＲが所望の状態となるようにセットすることができる。しかも、髪ＨＲが濡れているので、一旦乾燥させた後に髪をセットする方法に比べてセットがしやすくなるし、セットにかかる時間もより短くできる。とくに、髪ＨＲが、くせ毛やごわごわしやすい性質を有している場合、本実施形態のヘアブラシ１を使用すれば、濡れた状態で髪ＨＲをセットすることができるので、より簡単かつきれいにセットできるようになる（図４参照）。しかも、髪ＨＲに対して効率よく風Ｗを供給することができるので、濡れた状態の髪ＨＲを迅速に乾かすことができるから、セット時間を短くできる。
つまり、濡れた状態の髪ＨＲを本実施形態のヘアブラシ１を用いて風Ｗを供給しながらブラッシングするだけで、乾燥とセットを同時に行うことができる。しかも、髪ＨＲが濡れた状態のままブラッシングを行うことができるので、髪ＨＲのセットをより簡単に行うことができるようになる。
【００２７】
上記例では、髪ＨＲが短い人の場合について説明したが、髪ＨＲが長い人でも当然に使用することができ、本実施形態のヘアブラシ１を使用すれば以下のような利点が得られる。
【００２８】
まず、本実施形態のヘアブラシ１を使用して長い髪ＨＲをセットする場合を説明する前に通常のヘアブラシを用いた場合について簡単に説明する。
通常のヘアブラシを用いた場合、髪を梳かす際に髪がブラシ面に張り付いたような状態となったり、髪がなかなか乾かずに互いに絡まったり、ブラッシング中に髪が切れたりして髪にダメージを与えてしまう。このため、まず、しっかりと髪を乾燥させた後、ヘアブラシを用いて髪を所望の形状にセットするという作業が行われる。つまり、従来、長い髪をセットするには、必ず乾燥させた状態でブラッシングを行う、という２段階の作業が必要とされている。
【００２９】
しかし、本実施形態のヘアブラシ１を使用すれば、以下に示すように、濡れた状態の髪ＨＲのままブラッシングを行っても、髪を傷めることなく、適切に長い髪ＨＲをセットすることができる。
【００３０】
例えば、髪ＨＲの軸方向に沿って髪ＨＲをブラッシングすれば、板状部１０の上端部をまたぐよう髪ＨＲを配置することができる。このとき、板状部１０の面側近傍に位置する髪ＨＲをブラシ面４ｓから離間（髪ＨＲが浮いたような状態）させることができる。つまり、かかる部分に位置する髪ＨＲとブラシ面４ｓとの間に空間を形成することができる。このため、ドライヤーなどで風Ｗ１を供給すれば、かかる空間を介して浮いた状態の髪ＨＲに対して板状部１０で反射した風Ｗ２を供給することができる。
【００３１】
すると、本実施形態のヘアブラシ１を用いて長い髪ＨＲをブラッシングすれば、板状部１０によって、板状部１０近傍の髪ＨＲを持ち上げた状態にしつつ、板状部１０の先端部の髪ＨＲを押さえことができる。このとき、上述したように、持ち上げた髪ＨＲに対してドライヤーの風Ｗ１と反射した風Ｗ２の２種類の風Ｗを供給しつつ、押さえた髪ＨＲに対して反射した風Ｗ２を供給することができる。つまり、長い髪ＨＲが濡れた状態のままであっても、迅速に乾燥とセットを同時に行うことができる。しかも、濡れた状態でセットを行うことができるので、長い髪ＨＲであってもよりスムースにセットを行うことができるようになる。さらに、セットと同時に髪ＨＲを乾かすことができるので、髪通りを損なうことなく良好に髪ＨＲを梳かすことができるから、従来、濡れた状態の長い髪をブラッシングした際に問題となっていた髪切れなど抑制しつつ、より簡単に髪ＨＲのセットがしやすくなり、かつセット時間もより短縮できるという利点を有している。
【００３２】
（板状部１０について）
以下、本実施形態のヘアブラシ１の板状部１０について、より具体的に説明する。
板状部１０は、上述したように、ブラシ部３の本体部４の上部に設けられた表裏を風が通過しないように形成された板状の部材である。
【００３３】
風が通過しないとは、板状部１４によって風Ｗ１を完全に遮断することができる場合の他、板状部１４の側面に対して風Ｗ１をあてた際に、板状部１０の側面によってある程度（例えば本実施形態のヘアブラシ１に対して供給された風Ｗ１のうち約半分）反射させることができ、かかる反射させた風Ｗ２によって風Ｗ１が供給された側の空間に反射させた風Ｗ２を供給することができる程度に通過させない場合をも含む概念である。
ある程度反射させるとは、板状部１４に対して所定の量の風をあてた際に、その５０％〜７０％程度の量の風を反射させることを意味している。
【００３４】
図１または図２に示すように、板状部１０は、連続した一枚の板状部材で形成することができる。そして、この板状部１０は、その高さつまり、板状部１０の下端から上端までの距離が上述したようにブラシ毛７の長さよりも短くなるように形成されている。
【００３５】
板状部１０の下端とは、板状部１０の本体部の上面４ｓに位置する部分のうち、本体部の上面４ｓに接している部分を意味する。また、ブラシ毛７の基端は同様に、ブラシ毛７の本体部の上面４ｓに位置する部分のうち、本体部の上面４ｓに接している部分を意味する。
【００３６】
例えば、板状部１０は、その上端が板状部１０周辺のブラシ毛７の先端から、かかるブラシ毛７の長さの３分の１程度低くなるように形成することができる。より具体的には、ブラシ毛７の基端から先端までの長さ（図２（Ａ）ではＬ２）が２０ｍｍの場合、板状部１０の下端から上端までの距離（図２（Ａ）ではＬ１）が１４ｍｍとなるように形成することができる。つまり、板状部１０は、上端が周囲のブラシ毛７の先端から６ｍｍ程度下方に位置するように配設するのである。
すると、板状部１０の上端がブラシ毛７の先端よりもある程度低い位置となるように配設されているので、本実施形態のヘアブラシ１で髪を梳かす際に、板状部１０がブラシ毛７の髪ＨＲを梳かすという機能を妨げるのを抑制できる。したがって、本実施形態のヘアブラシ１で髪を梳かす際のブラッシングつまり櫛通りをスムースに行うことができる。また、ブラッシングと同時にドライヤーからの温風により、濡れた髪ＨＲの柔らかくなった性質を生かして、髪ＨＲをやさしく、かつ効果的に整髪することもできる。
【００３７】
しかも、ブラシ毛７の先端が頭皮接触するようにして髪ＨＲを梳かす場合、板状部材１０の上端と頭皮との間に所定の隙間を形成することができる。このため、本実施形態のヘアブラシ１で髪をＨＲ押さえるようにして梳かせば、上記隙間に髪ＨＲを通すことができる。そして、かかる隙間に案内された髪ＨＲは、板状部１０の状態によって頭部方向によって押圧されつつ、ブラシ毛７によって櫛目が通るようにブラッシングされる。
このため、かかる隙間を通過した後の髪ＨＲがまとまりやすくなる。すると、上記のごとき構成の本実施形態のヘアブラシ１を用いれば、髪ＨＲを梳かすだけで、髪ＨＲのセットを同時に行うことができるようになる（図４参照）。
【００３８】
板状部１０は、上記のごとき機能を有するものであれば、その材質はとくに限定されない。例えば、板状部１０が、弾性を有する素材によって形成されていれば、板状部１０が頭皮に接した場合でも頭皮を傷つけにくいので好ましい。なお、板状部１０の弾性を有する素材としては、例えば、シリコンやゴム、柔軟性を有するプラスチックなどを挙げることができる。
【００３９】
また、板状部１０は、その断面形状や側面形状もとくに限定されない。
例えば、板状部１０の側面形状が矩形状となるように形成すれば、その上端が本体部４のブラシ面４ｓと略平行となるように形成されるので、上端によって髪ＨＲを均質に押さえやすくなるので、上述した板状部１０の上端によって髪ＨＲを押さえた際に得られる効果を得やすいという利点がある。
【００４０】
なお、図１および図２に示すように、板状部１０がブラシ部３の長手方向に沿うように配設されていれば、ドライヤーの風Ｗ１の流路方向に対して略直交するように配設することができる。このため、ドライヤーの風Ｗ１をより効率よく板状部１０で反射させることができるので、髪ＨＲに対してドライヤーの風Ｗ１をより効果的に供給させることができる。
そして、図１および図２に示すように、板状部１０がブラシ部３の幅方向略中央に配設すれば、本実施形態のヘアブラシ１の操作を左右のどちらの手で行っても、髪ＨＲに対して上述したように２種類の風Ｗ１、Ｗ２を供給することができるから、本実施形態のヘアブラシ１の操作性を自由度を向上させることができる。
【００４１】
例えば、板状部１０が、複数枚の板状部材からなる場合には、ブラシ部３の幅方向に沿って複数列となるように配設することができる。
具体的には、複数の板状部材を本体部４の長手方向に沿って、所定の間隔を開けて本体部４の略中央部に列状に配設する。この中央列の板状部１０には、各板状部材間に隙間が形成されるので、この隙間を塞ぐように他の板状部１０を配設する。具体的には、中央列の板状部１０に平行かつ中央列の隙間が位置する部分に板状部材が位置するように配設する。すると、ブラシ部３の幅方向において、板状部１０に隙間が形成されていない構成とすることができる。そして、かかる板状部１０に向かってドライヤーの風Ｗ１をあてれば、ドライヤーの風Ｗを供給すれば、板状部１０から後方に向かって風Ｗ１が抜けていくのを防止することができる。
したがって、適切に反射風Ｗ２を形成することができる。しかも、複数の列状に板状部材を設けることによって、複雑な反射風Ｗ２の対流を形成することができるので、髪Ｗ２に対して多方向から風Ｗを供給することが可能となるから、より迅速に髪ＨＲを乾燥せることができる可能性がある。
【００４２】
上記例では、板状部１０が連続した一枚の板状部材で形成された場合について説明したが、ドライヤーの風Ｗ１を反射させる機能を有するものであれば、かかる構造に限定されない。例えば、複数枚の板状部材からなるように形成してもよいし、隣接するブラシ毛７同士間を繋ぐように板状部１０を形成してもよい。
【００４３】
また、板状部１０は、列状に設けたブラシ毛７において、隣接するブラシ毛７同士間を繋ぐように形成してもよい。つまり、板状部１０とブラシ毛７を一体形成してもよい。例えば、かかる板状部材１０とブラシ毛７および植設部６の素材として合成樹脂を使用すれば、これらの部材を一体形成することが可能となる。この場合には、実施形態のヘアブラシ１の製造を簡素化することができるという利点が得られる。
【００４４】
なお、本体部４は、ブラシ毛７を直接本体部上面に立設してもよいし、ブラシ毛７を別部材に立設したものを備えた構成としてもよい。例えば、図２に示すように、本体部４は、ベースとなる基材５と、その上部にブラシ毛７を植設するための植設部６を設けた構成としてもよい。また、植設部６が、基材５に対して着脱可能となるように形成すれば、ブラシ毛７や板状部１０が損傷したり汚れたりした場合に、取り換えることができるので、常にブラシ部３を清潔にしておくことが可能となる。
【００４５】
また、ブラシ毛７の密度も髪が通るのであればとくに限定されず、隙間が大きくなるようにしてもよいし、ブラシ毛７を密集させてもよい。例えば、ブラシ部３におけるブラシ毛７の密度を小さくすれば、髪を梳いた際のブラシ毛７と髪との接触率を低下させることができる。つまり、両者間に生じる摩擦抵抗を小さくできるので、濡れた髪を梳かすのに適している。その逆にブラシ部３におけるブラシ毛７の密度を大きくすれば、ブラッシング効果を向上させることができる。
【００４６】
さらになお、ブラシ毛７の素材や太さもとくに限定されない。例えば、素材として、ナイロン、ポリエステルなどの合成樹脂製のものや、動物の毛（獣毛）、金属製のもの、木製等を挙げることができる。例えば、濡れた髪を主に対象とする場合には、耐水性の高い樹脂製素材（例えば、ポリエチレンやポリプロピレン、ナイロン等の合成樹脂や金属）のものが好ましい。また、ある程度乾いた髪を対象にする場合には、獣毛（例えば、猪、豚、馬など）を採用すれば、柔軟性と肌当り性がすぐれているので、使い心地がよいという利点がある。さらに、ブラシ毛１３の素材を植物繊維から形成してもよい。なお、材質が異なるブラシ毛を混在させて用いてもよいのは言うまでもない。また、ブラシ毛７は、ある程度の太さを有するものを樹脂等で形成してもよいし、複数の細い毛（例えば獣毛）を束状にして形成してもよい。
【産業上の利用可能性】
【００４７】
本発明のヘアブラシは、ドライヤーなどで風を供給して髪を乾燥させる際に使用するブラシに適している。
【符号の説明】
【００４８】
１      ヘアブラシ
２      把持部
３      ブラシ部
４      本体部
５      基材
６      植設部
７      ブラシ毛
１０    板状部
【図１】
2017189477.tif 000003
【図２】
2017189477.tif 000004
【図３】
2017189477.tif 000005
【図４】
2017189477.tif 000006